(57)【要約】【課題】  分割形変流器分割時のロック部係着解除操作において，指の爪の負傷やロック部の破壊などがなく，容易に係着の解除が行える分割形変流器を得る。【解決手段】  分割形変流器のロック部係着解除方法を，押圧力を加えて解除が行える構造にすることで，安全で容易な係着解除が可能となる。【選択図】図１
2012212837.tif 000002
【特許請求の範囲】
【請求項１】
磁性体分割形鉄心の第１鉄心，および２次コイルの巻装された第２鉄心を絶縁樹脂で形成された第１ケースおよび第２ケースにそれぞれ収容し，各鉄心の端面どうしを接合させて閉磁路を形成するように構成された分割形変流器において，一方の鉄心接合面の端部には第１ケースと第２ケースとを連結する薄肉状の連結部を設け，他方の鉄心接合面の端部には第１ケースと第２ケースを相互に係着させるため，第１ケースと第２ケースにそれぞれ凸部または凹部形状で相互に係着する係着手段を設け，かつ前記係着手段に押圧力を加えることにより第１ケースと第２ケース相互の係着が解除できることを特徴とする分割型変流器。
【請求項２】
前記第１ケースと第２ケースを相互に係着させる係着手段への意図しない誤った押圧力が加わらないよう，係着手段の周囲に誤操作防止用凸部を設けたことを特徴とする請求項１記載の分割型変流器。
【発明の詳細な説明】
【技術分野】
【０００１】  この発明は，第１鉄心，および２次コイルの巻装された第２鉄心をそれぞれ絶縁材料で形成されたケースに収容し，各鉄心の端面どうしを接合させ閉磁路を形成する分割形変流器の構造に関する
【背景技術】
【０００２】  従来の分割形変流器として，上側に位置する第１ケースに収容された第１鉄心と，下側に位置する第２ケースに収容された２次コイルの巻装された第２鉄心相互を接合させ閉磁路を形成するため，一方の鉄心接合端部に第１ケースと第２ケース相互を連結する薄肉状の連結部が，また他方の鉄心接合端部に第１ケースと第２ケース相互を係着させるロック部が設けてあり，該連結部を屈曲させてロック部をロック部係着部に係着させることにより一体化し被検出電流線挿通用窓部が形成される構造の分割型変流器がある。（例えば，特許文献１参照）
【先行技術文献】
【特許文献】
【０００３】
【特許文献１】特開２００１−３０７９３４
【発明の概要】
【発明が解決しようとする課題】
【０００４】  上記特許文献１に開示された図５に示す分割形変流器では，被検出電流線に挿通取付するため，ロック部の係着を解除し窓部を解放するが，第１ケースのスプリング部により各鉄心接合面には押圧力が発生しており，ロック部係着部にはロック部に食い込む力が掛かっている。
ロック部の係着を解除する方法は，ケースとロック部の間に指の爪先などを引っ掛けて引き外す構造になっているため，係着解除時に力の加減によっては爪を負傷したり，ロック部を破損してしまうなどの問題があった。【０００５】  また，被検出電流線に挿通取付した分割形変流器を取り外す場合には，狭い空間での作業となることが多いため片手しか入らないことがあり，係着解除が困難であるなど問題点があった。【０００６】  この発明は上記問題点を解消するためになされたもので，係着解除の方法を指の爪先などで行わず，さらには片手で容易に係着解除が行える分割形変流器を提供することを目的としている。
【課題を解決するための手段】
【０００７】  本発明の分割形変流器では，上記課題を解決するため係着解除ノブを押さえることで係着が解除できる構造とし，さらには係着解除時第１ケースと第２ケース相互を連結する薄肉状の前記連結部の弾性力で上側に位置する第１ケースに第１鉄心を収納してなるアームが開く構造とした。
【発明の効果】
【０００８】  係着解除ノブを押さえることで係着が解除できる構造としたことにより容易に解除ができ，爪の負傷やロック部の破損などが発生しない分割形変流器を得ることができる。【０００９】  また，係着解除ノブを押さえることで係着が解除できる構造としたことで，狭い場所にある被検出電流線からの分割形変流器取り外しも片手で容易に行える分割型変流器を得ることができる。
【図面の簡単な説明】
【００１０】
【図１】本発明の実施形態に於ける分割形変流器を示す平面断面図である。
【図２】本発明の分割形変流器を示す右側面図である。
【図３】本発明の分割形変流器ロック部の係着解除を示す平面図である。
【図４】本発明の分割形変流器ロック部の係着を解除し，アームが開いた状態を示す平面図である。
【図５】先行技術として特許文献１に示された分割形変流器の外形を示し，（ａ）は上面図，（ｃ）は正面図，（ｄ）右側面図である。
【発明を実施するための形態】
【００１１】  以下，本発明による分割形変流器の実施形態について，図を用いて説明する。尚，各図において同一である部分には同一の符号を付してその説明を省略する。
【００１２】  本発明の構造における分割形変流器について，図１から図４を用いて説明する。
図１，図２において，絶縁材料で形成され上側に位置する第１ケース１に収容された第１鉄心３と，下側に位置する第２ケース２に収容され，２次コイル４が巻装された第２鉄心５の相互を接合させ閉磁路を形成するため，一方の鉄心接合面１０ａの端部には第１ケース１と第２ケース２とを連結する薄肉状の連結部１３を設けてある。
また，他方の鉄心接合面１０ｂの端部には，第１ケース１にロック部係着部１１を，第２ケース２にはロック部８と係着解除ノブ１２からなるフック１５が設けてあり，該連結部１３を屈曲させて鉄心接合面１０ａ，１０ｂが接合，前記フック１５のロック部８をロック部係着部１１に係着させることにより，第１ケース１と第２ケース２は一体化されて閉磁路形成とともに被検出電流線挿通用窓部７が形成される。
尚、電流検出は被検出電流線６を挿通して前記第１ケース１と第２ケース２を一体化し，被検出電流線挿通用窓部７を形成して電流検出を行う。
【００１３】  図３，図４は本発明の実施形態における分割形変流器の係着解除，アーム１４が開いた状態を示したものである。
フック１５の係着解除ノブ１２を指で押すことによりロック部係着部１１に係着していたロック部８が外れ，鉄心接合面１０ａの端部に設けた連結部１３の弾性力によりアーム１４が開き，被検出電流線６から取り外すことができる。
【００１４】  また、フック１５の係着解除ノブ１２を挟むように両側に誤操作防止用凸部１６が設けてあり，係着解除ノブ１２に何かが当たり誤って係着が解除されないよう、係着解除誤操作防止が図られている。
【００１５】  以上のように本発明の実施形態における分割型変流器によれば，押す操作でロック部とロック部係着部の係着を解除できる係着解除ノブを設けたので，片手で容易に，また安全に係着を解除しアームを解放できる分割型変流器を提供できる。
【符号の説明】
【００１６】１  第１ケース，２  第２ケース，３  第１鉄心，４  ２次コイル，５  第２鉄心，６  被検出電流線，７  被検出電流線挿通用窓部，８  ロック部，９  スプリング部，１０ａ，１０ｂ  鉄心接合面，１１  ロック部係着部，１２  係着解除ノブ，１３  連結部，１４  アーム，１５  フック，１６  誤操作防止用凸部
【図１】
2012212837.tif 000003
【図２】
2012212837.tif 000004
【図３】
2012212837.tif 000005
【図４】
2012212837.tif 000006
【図５】
2012212837.tif 000007